(57)【要約】【課題】一実施形態に係る印刷回路基板切断装置を提供する。【解決手段】一実施形態に係る印刷回路基板切断装置は、上部フレーム、下部フレーム、前記上部フレーム、及び前記下部フレームを連結する連結フレームを含むフレームユニットと、前記下部フレームの一側に配置し、印刷回路基板が置かれる支持板と、前記支持板の移動をガイドするガイド部材と、前記上部フレームの長手方向に垂直に配置し、前記印刷回路基板を切断させる切断ユニットと、前記支持板又は前記切断ユニットの作動を制御する制御ユニットとを含む。【選択図】図１
2016215363.tif 000002
【特許請求の範囲】
【請求項１】
上部フレーム、下部フレーム、前記上部フレーム、及び前記下部フレームを連結する連結フレームを含むフレームユニットと、
前記下部フレームの一側に配置し、印刷回路基板が置かれる支持板と、
前記支持板の移動をガイドするガイド部材と、
前記上部フレームの長手方向に垂直に配置し、前記印刷回路基板を切断させる切断ユニットと、
前記支持板又は前記切断ユニットの作動を制御する制御ユニットと、
を含む、印刷回路基板切断装置。
【請求項２】
前記切断ユニットは、外周面に沿って刃物部が形成された切断体と、前記切断体と連結される第１伝達体とを含み、
駆動モータと前記駆動モータの一側に連結され、前記第１伝達体と選択的に連結可能であり、前記駆動モータの動力を前記切断体に伝達できる第２伝達体を含む駆動ユニットをさらに含む、請求項１に記載の印刷回路基板切断装置。
【請求項３】
前記駆動ユニットは、前記駆動モータと連結する伝達ブロックと、前記伝達ブロックに貫通して前記伝達ブロックの移動をガイドする伝達ロードをさらに含み、
前記伝達ブロックは、前記伝達ロードに沿って移動しながら前記第１伝達体と前記第２伝達体を選択的に連結させる、請求項２に記載の印刷回路基板切断装置。
【請求項４】
前記駆動ユニットは、前記伝達ブロックと連結され、回転によって前記伝達ブロックを前記伝達ロードに沿って移動させる伝達取っ手をさらに含む、請求項３に記載の印刷回路基板切断装置。
【請求項５】
前記切断体の少なくとも一部を取り囲んで前記印刷回路基板を切断するときユーザが前記切断体と接触することを防止する保護板をさらに含む、請求項２に記載の印刷回路基板切断装置。
【請求項６】
前記下部フレームの上側に配置し、前記印刷回路基板に形成された下部溝に挿入され、その端部が尖鋭な形状に形成されて前記印刷回路基板の移動をガイドする下部刃物部をさらに含む、請求項１に記載の印刷回路基板切断装置。
【請求項７】
前記印刷回路基板の挿入又は移動を検出する検出センサを含み、
前記制御ユニットは、前記検出センサが前記印刷回路基板が前記切断ユニットを通過した状態を検出すれば、前記切断ユニットを反対方向に作動させる、請求項１に記載の印刷回路基板切断装置。
【請求項８】
前記切断ユニットは、反対方向に作動時に最初位置よりも下方に移動して前記印刷回路基板を切断させる、請求項７に記載の印刷回路基板切断装置。
【請求項９】
前記切断ユニットの高さを調整できる調整手段をさらに含む、請求項１に記載の印刷回路基板切断装置。
【請求項１０】
上部フレーム、下部フレーム、前記上部フレーム、及び前記下部フレームを連結する連結フレームを含むフレームユニットと、
前記下部フレームの一側に配置し、印刷回路基板が置かれる支持板と、
前記上部フレームの長手方向に垂直に配置し、前記印刷回路基板の上部と接して前記印刷回路基板を切断させる上部切断ユニットと、
前記下部フレームの長手方向に垂直に配置し、前記印刷回路基板の下部と接して、前記印刷回路基板を切断させる下部切断ユニットと、
前記支持板、前記上部切断ユニット、又は前記下部切断ユニットの作動を制御する制御ユニットと、
を含む、印刷回路基板切断装置。
【請求項１１】
前記下部切断ユニットは、前記上部切断ユニットの駆動時にともに移動できる、請求項１０に記載の印刷回路基板切断装置。
【請求項１２】
前記上部切断ユニットの駆動時、前記下部切断ユニットをともに駆動させる下部切断ユニット駆動ユニットをさらに含む、請求項１０に記載の印刷回路基板切断装置。
【発明の詳細な説明】
【技術分野】
【０００１】
本発明の説明は印刷回路基板切断装置に関する。
【背景技術】
【０００２】
印刷回路基板切断装置は、基板上に配線パターンが形成され、抵抗や半導体素子などの回路部品がクリーム半田（ｃｒｅａｍ  ｓｏｌｄｅｒ）によって搭載した印刷回路基板を切断することができる。
【０００３】
印刷回路基板の切断において、作業者が手で印刷回路基板を曲げて分割したり、切断装置を用いて分割するとき、その分割を容易にするために各電器回路ブロックの境界の部分に「Ｖ」字の切断溝又はガイド溝を印刷回路基板の両面に形成することがある。
【０００４】
作業者が印刷回路基板を両手でもって前記切断溝又はガイド溝を中心にして印刷回路基板が曲がるように力を加えれば、前記切断溝に沿って印刷回路基板が切断される。
【０００５】
ただし、上記のように作業者の手で印刷回路基板を曲げて切断するとき、その印刷回路基板上に前記切断溝又はガイド溝が備えられるとしても印刷回路基板が過度に曲がると、印刷回路基板上に形成された配線パターンや搭載した回路部品に引張不均衡又は圧縮不均衡が発生することがある。
【０００６】
例えば、公開特許第２００７−０１０３２４２号には、印刷回路基板切断装置が開示されている。前記印刷回路基板切断装置は、２つ以上の基板を同時に装着して切断作業を行わせることで作業能率の向上を図ることができる。
【発明の概要】
【発明が解決しようとする課題】
【０００７】
一実施形態の目的は、本体の前面に切断体を配置して広い印刷回路基板を切断することのできる印刷回路基板切断装置を提供する。
【０００８】
一実施形態の目的は、選択的に切断体に動力を供給することのできる印刷回路基板切断装置を提供する。
【０００９】
一実施形態の目的は、様々な種類の印刷回路基板を切断することのできる印刷回路基板切断装置を提供する。
【課題を解決するための手段】
【００１０】
上記のような一実施形態に係る目的は、下記のような印刷回路基板切断装置を提供することによって達成される。
【００１１】
一実施形態に係る印刷回路基板切断装置は、上部フレーム、下部フレーム、前記上部フレーム、及び前記下部フレームを連結する連結フレームを含むフレームユニットと、前記下部フレームの一側に配置し、印刷回路基板が置かれる支持板と、前記支持板の移動をガイドするガイド部材と、前記上部フレームの長手方向に垂直に配置し、前記印刷回路基板を切断させる切断ユニットと、前記支持板又は前記切断ユニットの作動を制御する制御ユニットとを含み、
【００１２】
一実施形態において、前記切断ユニットは、外周面に沿って刃物部が形成された切断体と、前記切断体と連結される第１伝達体とを含み、駆動モータと前記駆動モータの一側に連結され、前記第１伝達体と選択的に連結可能であり、前記駆動モータの動力を前記切断体に伝達できる第２伝達体を含む駆動ユニットをさらに含んでもよい。
【００１３】
一実施形態において、前記駆動ユニットは、前記駆動モータと連結する伝達ブロックと、前記伝達ブロックに貫通して前記伝達ブロックの移動をガイドする伝達ロードをさらに含み、前記伝達ブロックは、前記伝達ロードに沿って移動しながら前記第１伝達体と前記第２伝達体を選択的に連結させてもよい。
【００１４】
一実施形態において、前記駆動ユニットは、前記伝達ブロックと連結され、回転によって前記伝達ブロックを前記伝達ロードに沿って移動させる伝達取っ手をさらに含んでもよい。
【００１５】
一実施形態において、前記切断体の少なくとも一部を取り囲んで前記印刷回路基板を切断するときユーザが前記切断体と接触することを防止する保護板をさらに含んでもよい。
【００１６】
一実施形態において、前記下部フレームの上側に配置し、前記印刷回路基板に形成された下部溝に挿入され、その端部が尖鋭な形状に形成されて前記印刷回路基板の移動をガイドする下部刃物部をさらに含んでもよい。
【００１７】
一実施形態において、前記印刷回路基板の挿入又は移動を検出する検出センサを含み、前記制御ユニットは、前記検出センサが前記印刷回路基板が前記切断ユニットを通過した状態を検出すれば、前記切断ユニットを反対方向に作動させてもよい。
【００１８】
一実施形態において、前記切断ユニットは、反対方向に作動時に最初位置よりも下方に移動して前記印刷回路基板を切断させてもよい。
【００１９】
一実施形態において、前記切断ユニットの高さを調整できる調整手段をさらに含んでもよい。
【００２０】
他の実施形態に係る印刷回路基板切断装置は、上部フレーム、下部フレーム、前記上部フレーム、及び前記下部フレームを連結する連結フレームを含むフレームユニットと、前記下部フレームの一側に配置し、印刷回路基板が置かれる支持板と、前記上部フレームの長手方向に垂直に配置し、前記印刷回路基板の上部と接して前記印刷回路基板を切断させる上部切断ユニットと、前記下部フレームの長手方向に垂直に配置し、前記印刷回路基板の下部と接して、前記印刷回路基板を切断させる下部切断ユニットと、前記支持板、前記上部切断ユニット、又は前記下部切断ユニットの作動を制御する制御ユニットとを含む。
【００２１】
一実施形態において、前記下部切断ユニットは、前記上部切断ユニットの駆動時にともに移動されてもよい。
【００２２】
一実施形態において、前記上部切断ユニットの駆動時、前記下部切断ユニットをともに駆動させる下部切断ユニット駆動ユニットをさらに含んでもよい。
【発明の効果】
【００２３】
一実施形態に係る印刷回路基板切断装置によると、本体の前面に切断体を配置して広い印刷回路基板を切断することができる。
【００２４】
一実施形態に係る印刷回路基板切断装置は、選択的に切断体に動力を供給することができる。
【００２５】
一実施形態に係る印刷回路基板切断装置は、様々な種類の印刷回路基板を切断することができる。
【００２６】
本発明の効果は、以上の記載に限定されることなく、言及されていない他の効果は下記の記載によって当業者に明確に理解できるものである。
【図面の簡単な説明】
【００２７】
【図１】一実施形態に係る印刷回路基板切断装置の側面図である。
【図２】一実施形態に係る印刷回路基板切断装置の正面図である。
【図３】一実施形態に係る支持板が移動した状態を示す印刷回路基板切断装置の異なる正面図である。
【図４Ａ】一実施形態に係る駆動ユニット及び切断ユニットを示す図である。
【図４Ｂ】一実施形態に係る駆動ユニット及び切断ユニットを示す図である。
【図５Ａ】一実施形態に係る印刷回路基板が挿入される形態を示す図である。
【図５Ｂ】一実施形態に係る印刷回路基板が挿入される形態を示す図である。
【図５Ｃ】一実施形態に係る印刷回路基板が挿入される形態を示す図である。
【図６】他の実施形態に係る印刷回路基板切断装置の切断ユニットを示す図である。
【発明を実施するための形態】
【００２８】
図１は、一実施形態に係る印刷回路基板切断装置１の側面図であり、図２及び図３は、一実施形態に係る印刷回路基板切断装置１の正面図である。図２及び図３は、支持板１２０の移動形態を示す。
【００２９】
図１〜図３を参照すると、一実施形態に係る印刷回路基板切断装置１は、フレームユニット１１０、支持板１２０、ガイド部材１６０、切断ユニット１３０及び制御ユニット１５０を含む。
【００３０】
フレームユニット１１０は、上部フレーム１１１、下部フレーム１１３、上部フレーム１１１及び下部フレーム１１３を連結する連結フレーム１１２を含む。フレームユニット１１０は全体的に逆「コ」状に構成している。
【００３１】
支持板１２０は、下部フレーム１１３の一側に配置され得る。印刷回路基板（図示せず）は支持板１２０上に置かれてもよい。印刷回路基板切断装置１は水平台１２２を含んでもよく、ユーザは水平台１２２を参考して印刷回路基板の配置を調整し得る。印刷回路基板は、１つの大きい板に構成されてもよい。印刷回路基板は、電気回路ブロックを形成している配線パターンが複数形成され得る。その材質は、ガラスエポキシや紙フェノールであってもよい。印刷回路基板に抵抗や半導体素子のような回路部品を配置し、各電気回路ブロックごとに印刷回路基板を切断して使用することができる。
【００３２】
印刷回路基板は、上部と下部にそれぞれ上部溝及び下部溝が形成されている。上部溝及び下部溝は、印刷回路基板の長手方向に形成されてもよい。上部溝及び下部溝は印刷回路基板を切断するガイドとなり、上部溝及び下部溝が形成された部位が切断されてもよい。上部溝及び下部溝はそれぞれ「Ｖ」字に形成されてもよい。ただし、これは印刷回路基板の例示に過ぎず、印刷回路基板の材質又は形状を限定することはない。
【００３３】
ガイド部材１６０は支持板１２０の移動をガイドする。支持板１２０は、ガイド部材１６０に沿って水平方向に移動し、そのため、支持板１２０上に置かれた印刷回路基板が共に移動する。図２は支持板１２０が左側に移動した状態を示し、図３は支持板１２０が右側に移動した状態を示す。
【００３４】
支持板１２０は、手動で移動したり且つ動力の供給を受けて移動する。手動で移動する場合、ユーザが支持板１２０を移動させ得る。この場合、支持板１２０はモータで駆動されないこともある。
【００３５】
動力の供給を受けて移動する場合、印刷回路基板切断装置１は支持板駆動ユニット（図示せず）を含み、支持板駆動ユニットはガイド部材１６０に沿って支持板１２０を移動させ得る。支持板駆動ユニットはモータを含んでもよい。制御ユニット１５０は支持板駆動ユニットを制御し、支持板１２０の移動速度を設定することができる。
【００３６】
切断ユニット１３０は、上部フレーム１１１の長手方向に垂直に配置されてもよい。切断ユニット１３０は、外周面に沿って刃物部が形成された切断体１３１を含み、切断体１３１は回転可能に配置され得る。切断体１３１は、印刷回路基板の上部溝に挿入され、印刷回路基板を切断することができる。
【００３７】
切断ユニット１３０は、上部フレーム１１１の長手方向に垂直に配置することから、広い印刷回路基板の切断に有利である。
【００３８】
切断ユニット１３０が上部フレーム１１１の長手方向に平行するよう配置されれば、印刷回路基板が連結フレーム１１２に向かって挿入され、連結フレーム１１２に接すると、これ以上挿入することができないことから、印刷回路基板の大きさが制限される。一方、切断ユニット１３０が図１ないし図３に示すように配置すれば、印刷回路基板の挿入が干渉されないことから、広い印刷回路基板を切断することができる。
【００３９】
保護板１３３は、切断体１３１の少なくとも一部を取り囲むことができる。したがって、印刷回路基板を切断するときユーザが切断体１３１と接触することを防止し、安全事故の発生を防止できる。例えば、保護板１３３は、切断体１３１が印刷回路基板と接する下部を開放し、切断体１３１が印刷回路基板と接しない上部を取り囲んでもよい。
【００４０】
印刷回路基板切断装置１は、下部フレーム１１３の上側に配置される下部刃物部１３０ａをさらに含む。下部刃物部１３０ａは、端部が尖鋭な形状であってもよく、印刷回路基板に形成された下部溝に挿入されてもよい。下部刃物部１３０ａは、印刷回路基板の移動をガイドする。
【００４１】
例えば、切断体１３１及び下部刃物部１３０ａは互いに対応する位置に配置し、印刷回路基板は、切断体１３１と下部刃物部１３０ａとの間に挿入されてもよい。切断体１３１は印刷回路基板の上部溝に挿入され、下部刃物部１３０ａは印刷回路基板の下部溝に挿入される。
【００４２】
切断体１３１及び下部刃物部１３０ａは、印刷回路基板を切断できる間隔で配置される。切断体１３１及び下部刃物部１３０ａは、印刷回路基板の高さよりも狭い離隔をもって配置される。
【００４３】
切断体１３１又は下部刃物部１３０ａの高さは調整可能であり、印刷回路基板に応じて間隔が調整され得る。例えば、印刷回路基板切断装置１は、切断ユニット１３０の高さを調整できる調整手段（図示せず）を含んでもよい。調整手段は、印刷回路基板切断装置１の高さ方向に形成された高さ調整孔と、切断ユニット１３０と連結して高さ調整孔を貫通するボルト部材と、ボルト部材と締結されるナット部材を含んでもよい。
【００４４】
切断ユニット１３０の高さを調整するとき、ボルト部材とナット部材の締結状態を解除し、ボルト部材を高さ調整孔内で移動させた後、ナット部材をボルト部材と締結することで切断ユニット１３０の高さを調整することができる。
【００４５】
下部刃物部１３０ａは印刷回路基板が配置される基準となり、印刷回路基板が配置された後その高さが調整され得る。下部刃物部１３０ａの高さ調整は、切断ユニット１３０の高さ調整と類似の原理に基づいて可能になる。
【００４６】
また、支持板調整手段１２１は調整手段と同様に構成され、支持板１２０の高低を調整できる。支持板調整手段１２１の高低を調整して様々な厚さの印刷回路基板を切断することができる。
【００４７】
切断ユニット１３０は、動力又は無動力で作動してもよい。無動力で作動する場合、切断体１３１は挿入される印刷回路基板との摩擦力によって回転する。印刷回路基板が挿入されれば、印刷回路基板と刃物部が接触し、そのため、印刷回路基板と刃物部の摩擦によって印刷回路基板が切断され得る。
【００４８】
切断ユニット１３０は動力によって作動されるため、印刷回路基板切断装置１は駆動ユニット１４０をさらに含んでもよい。駆動ユニット１４０は、駆動モータを含み得る。駆動モータは、切断体１３１を回転して印刷回路基板を切断させ得る。
【００４９】
ユーザは、切断ユニット１３０の動力又は無動力作動を選択することができる。そのために、切断体１３１は駆動ユニット１４０と選択的に連結し、このような構成は下記で具体的に説明する。
【００５０】
図４は、一実施形態に係る駆動ユニット１４０及び切断ユニット１３０を示す図である。図４Ａは切断ユニット１３０と駆動ユニット１４０が連結していない状態を示し、図４Ｂは切断ユニット１３０と駆動ユニット１４０が連結している状態を示している。
【００５１】
図４を参照すると、駆動ユニット１４０は切断ユニット１３０と選択的に連結し、切断ユニット１３０に選択的に動力を供給し得る。
【００５２】
切断ユニット１３０は切断体１３１と連結される第１伝達体１３２を含み、駆動ユニット１４０は駆動モータ１４１の一側に連結される第２伝達体１４２を含む。第１伝達体１３２及び第２伝達体１４２は互いに係合し得るギヤで構成されてもよい。
【００５３】
駆動ユニット１４０は、伝達ブロック１４３、伝達ロード１４４を含む。伝達ブロック１４３は駆動モータ１４１と連結され、伝達ロード１４４を貫通するように構成している。伝達ブロック１４３は、伝達ロード１４４に沿って伝達ロード１４４の長手方向に移動することができる。
【００５４】
図４Ａを参照すると、駆動ユニット１４０と切断ユニット１３０が連結していない状態で、切断ユニット１３０は無動力で使用され得る。駆動ユニット１４０と切断ユニット１３０が連結していないため、切断体１３１が回転しても駆動ユニット１４０に影響を及ぼすことはない。
【００５５】
切断ユニット１３０に動力を供給する場合、伝達ブロック１４３を移動させ、第１伝達体１３２及び第２伝達体１４２を係合させ得る。
【００５６】
第１伝達体１３２と第２伝達体１４２が係合すると、駆動モータ１４１の回転動力が第２伝達体１４２を回転させ、第２伝達体１４２が第１伝達体１３２を回転させることににより切断体１３１は回転駆動可能になる。
【００５７】
伝達取っ手１４５は、伝達ブロック１４３の一側に連結されてもよい。伝達取っ手１４５が回転すると、伝達ブロック１４３が伝達ロード１４４に沿って移動するよう構成される。
【００５８】
このような構成によると、伝達取っ手１４５を調整して駆動ユニット１４０と切断ユニット１３０を選択的に連結させることができる。必要に応じて、切断体１３１を動力又は無動力に使用できる。また、駆動モータ１４１と切断体１３１が常に連結していると、切断体１３１を無動力に使用する場合に切断体１３１が印刷回路基板の挿入によって回転し、駆動モータ１４１も強制駆動して駆動モータに損傷を与えるようになり、無理な力によって印刷回路基板にストレスを与えるようになる。一方、印刷回路基板切断装置１は、駆動モータ１４１と切断体１３１の連結を解除することで駆動モータの損傷を防止することができる。
【００５９】
図５は、一実施形態に係る印刷回路基板３が挿入される形態を示す。
【００６０】
図５を参照すると、印刷回路基板３は、切断体１３１に接するよう挿入されている。印刷回路基板３は、図５Ａに示すように挿入され、切断体１３１の回転によって印刷回路基板３を切断することができる。
【００６１】
以下、切断体１３１が動力により作動する場合について説明する。
【００６２】
印刷回路基板切断装置１は、印刷回路基板３の挿入又は移動を検出する検出センサ（図示せず）を含む。検出センサは、支持板１２０の一側に配置して印刷回路基板３の挿入を検出することができる。
【００６３】
検出センサは、印刷回路基板３の接触を検出するセンサであるか、印刷回路基板３との距離を検出する赤外線センサであってもよい。検出センサの位置又は種類はこれに限定されることなく、検出センサの目的を達成できる他の構成を用いてもよい。
【００６４】
検出センサは、印刷回路基板３が完全に挿入された状態を検出する。印刷回路基板３が、図５Ｂに示すよう完全に挿入すると、制御ユニット１５０は切断体１３１の回転を中断させ得る。
【００６５】
その後、印刷回路基板３が反対に挿入すると、制御ユニット１５０は切断体１３１を反対に回転させる。その方向は、切断体１３１と印刷回路基板３が接する部分を基準にして、印刷回路基板３の挿入方向と同じ方向である。すなわち、印刷回路基板３の挿入方向によって切断体１３１の回転方向が変化するため、挿入方向に関係なく印刷回路基板３を切断することができる。
【００６６】
また、切断体１３１は、反対方向に作動するとき最初位置よりも下方に移動してもよい。例えば、印刷回路基板３を挿入するとき切断体１３１が印刷回路基板３を一部切断し、印刷回路基板３が反対に移動するとき切断体１３１が印刷回路基板３を完全に切断することができる。
【００６７】
図６は、他の実施形態に係る印刷回路基板切断装置の切断ユニットを示す図である。
【００６８】
以下、前記実施形態に含まれた構成要素と共通の機能を含む構成要素については同一の名称を用いて説明することにする。反対となる記載がない限り、前記の実施形態に対する説明は以下の実施形態にも適用され得る。以下、具体的な説明は省略することにする。
【００６９】
印刷回路基板切断装置１は、上部切断ユニット２３１及び下部切断ユニット２３２を含む。上部切断ユニット２３１は、上部フレームの長手方向に垂直に配置し、下部切断ユニット２３２は上部切断ユニット２３１と並んでいるよう配置してもよい。
【００７０】
印刷回路基板３は、上部切断ユニット２３１と下部切断ユニット２３２との間に挿入されてもよい。上部切断ユニット２３１は印刷回路基板３の上部に接し、下部切断ユニット２３２の印刷回路基板３の下部に接する。
【００７１】
具体的に、上部切断ユニット２３１は印刷回路基板３の上部溝に挿入され、下部切断ユニット２３２は印刷回路基板３の下部溝に挿入される。印刷回路基板３の両側で、印刷回路基板３を切断することができる。
【００７２】
上記で説明した印刷回路基板切断装置１とは異なって、上部切断ユニット２３１と下部切断ユニット２３２が共に駆動して印刷回路基板３を切断することができる。例えば、上部切断ユニット２３１が回転駆動して印刷回路基板３の上部を切断するとき、下部切断ユニット２３２も共に移動して印刷回路基板３の下部を切断する。
【００７３】
すなわち、上部切断ユニット２３１によって印刷回路基板３が切断されるとき、下部切断ユニット２３２は共に移動できる。
【００７４】
または、印刷回路基板切断装置１は、下部切断ユニット駆動ユニット（図示せず）をさらに含んでもよい。下部切断ユニット駆動ユニットはモータを含んでもよく、上部切断ユニット２３１を駆動するとき、下部切断ユニット２３２をともに駆動させ得る。例えば、上部切断ユニット２３１は回転駆動し、下部切断ユニット２３２は直線駆動し、それぞれの印刷回路基板３の上部、下部で印刷回路基板３を切断することができる。
【００７５】
以上で説明した印刷回路基板切断装置によると、本体の前面に切断体を配置して広い印刷回路基板を切断することができ、選択的に切断体に動力を供給ができ、様々な種類の印刷回路基板を切断できる。
【００７６】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００７７】
したがって、本発明の範囲は、開示された実施形態に限定されるものではなく、特許請求の範囲だけではなく特許請求の範囲と均等なものなどによって定められるものである。
【符号の説明】
【００７８】
１：印刷回路基板切断装置
１１０：フレームユニット
１２０：支持板
１３０：切断ユニット
１４０：駆動ユニット
１５０：制御ユニット
【図１】
2016215363.tif 000003
【図２】
2016215363.tif 000004
【図３】
2016215363.tif 000005
【図４Ａ】
2016215363.tif 000006
【図４Ｂ】
2016215363.tif 000007
【図５Ａ】
2016215363.tif 000008
【図５Ｂ】
2016215363.tif 000009
【図５Ｃ】
2016215363.tif 000010
【図６】
2016215363.tif 000011